(57)【要約】【課題】    六角レンチを回そうとした場合に、指先などには痛みを感じさせるような力が作用し難く、作業性に優れており、又、角穴付きボルトを更に回して強く締め付けたり・緩めたりするに際して、角穴付きボルトの角穴に挿し込み易く、その作業性が良い工具を提供することである。【解決手段】    断面が角形の棒材１が折曲されてなる回動用の工具Ａであって、  前記棒材１は、その一端側において、その側面１ａ，１ｄに平行な面内で折曲されてなる。【選択図】    図１
2006212760.tif 000002
【特許請求の範囲】
【請求項１】
断面が角形の棒材が折曲されてなる回動用の工具であって、
前記棒材は、その一端側において、その側面に平行な面内で折曲されてなる
ことを特徴とする回動用工具。
【請求項２】
前記棒材は、その他端側において、その側面の対向する二つの稜線で構成される面に垂直な面内で折曲されてなる
ことを特徴とする請求項1の回動用工具。
【発明の詳細な説明】
【技術分野】
【０００１】
本発明は、例えば六角レンチ等の回動用工具に関する。
【背景技術】
【０００２】
従来より、図２に示される六角レンチＢが知られている。尚、図２中、１１は、断面が六角形の棒材である。そして、六角棒材１１の一端側が折り曲げられたものである。尚、前記折曲は、図２からも判る通り、側面１２が内側に位置するような折曲である。
【０００３】
さて、上記構成の六角レンチＢの折曲先端部１３を、図３に示される六角穴付きボルトＣの六角穴２０に挿し込み、そして六角レンチＢの手元側把持部１４を親指と人差し指とで持って力を加えて回すことにより、ボルトＣを回動し、ボルトＣを締め付けたり、緩めたりしている。
【発明の開示】
【発明が解決しようとする課題】
【０００４】
ところで、本願発明者は、上記六角レンチＢには次のような問題点が有ることに気付くに至った。
【０００５】
すなわち、六角穴付きボルトＣの周囲に他の部材が無い場合には、六角穴付きボルトＣの六角穴２０に六角レンチＢの折曲先端部１３を挿し込み、回すことに何の問題も起きない。
【０００６】
しかしながら、六角穴付きボルトＣの周囲に他の部材が配設されていることの方が多い。この為、六角穴付きボルトＣの六角穴２０に六角レンチＢの折曲先端部１３を挿し込んで回すことが大変な場合が有る。すなわち、六角穴付きボルトＣ（即ち、六角穴２０）が、例えば５°だけでも回った位置に在れば、六角穴付きボルトＣの六角穴２０に六角レンチＢの折曲先端部１３を容易に挿し込むことが出来、そして簡単に六角レンチＢを回せるのにと言った場合が有る。或いは、例えば５°だけでも六角穴付きボルトＣを更に回しておけば、六角穴付きボルトＣを強固に締着できるのに、それが出来ず、締着強度が緩いままと言ったこともある。
【０００７】
そして、このような問題に対して、図２に示される構造の六角レンチＢでは、手の打ちようが無かった。
【０００８】
又、六角レンチＢの折曲先端部１３を六角穴付きボルトＣの六角穴２０に挿し込み、そして六角レンチＢの把持部１４を親指と人差し指とで持って力を加えて回すことにより、ボルトＣを回動し、ボルトＣを締め付けたり、緩めたりしている。この時、六角レンチＢの把持部１４の側面の尖がった稜線（六角形の棒であるから、側面は六面有り、その側面の中、隣接する側面同士の境界線）１５，１６（１６は図示せず。）に手指の面が当たることになる。この為、強い力を加えて回そうとすると、指には痛みを感じることが有り、作業性がそれだけ悪い。
【０００９】
従って、本発明が解決しようとする第１の課題は、例えば六角レンチを回そうとした場合に、指先などには痛みを感じさせるような力が作用し難く、作業性に優れた工具を提供することである。
【００１０】
本発明が解決しようとする第２の課題は、角穴付きボルトを更に回して強く締め付けたり・緩めたりするに際して、角穴付きボルトの角穴に挿し込み易く、その作業性が良い工具を提供することである。
【課題を解決するための手段】
【００１１】
前記の課題は、断面が角形の棒材が折曲されてなる回動用の工具であって、
前記棒材は、その一端側において、その側面に平行な面内で折曲されてなる
ことを特徴とする回動用工具によって解決される。
【００１２】
尚、上記の工具と従来タイプの工具との二種類を用意しておいても良いが、これを一つに組み込んだものとしても良い。
【００１３】
すなわち、前記の課題は、断面が角形の棒材が折曲されてなる回動用の工具であって、
前記棒材は、その一端側において、その側面に平行な面内で折曲されてなり、
前記棒材は、その他端側において、その側面の対向する二つの稜線で構成される面に垂直な面内で折曲されてなる
ことを特徴とする回動用工具によって解決される。
【発明の効果】
【００１４】
本発明にあっては、例えば六角レンチの場合で考えると、六角レンチを手にして回そうとした場合、手指には六角レンチの平坦な側面が当たる。従って、尖がった稜線部分が強く手指に当たるようなことが起き難いから、六角レンチを回そうとした場合に、指先などには痛みを感じさせるような力が作用し難く、作業性に優れている。
【００１５】
又、従来タイプの六角レンチでは、六角穴付きボルトの六角穴に挿し込み、そして回そうとした場合に回し難かったり、又、それ以上の角度に回すのが大変な場合も有るが、本発明の六角レンチは、従来タイプの六角レンチと折曲箇所が相違するので、そのような時に利用できる。
【発明を実施するための最良の形態】
【００１６】
図１は、本発明になる回動用工具の一実施形態、例えば六角レンチの要部を示す斜視図である。
【００１７】
図１中、１は、断面が六角形の鋼材からなる棒である。尚、本発明にあっては、棒材の大きさに格別な限定は無いが、棒材の直径は、例えば１．２〜１５ｍｍ程度の小さなものである。勿論、これより大きく、例えば３６ｍｍ程度の場合もある。
【００１８】
そして、棒１の一端側が¬形状に折り曲げられている。但し、その折曲は、特に、次のような形態である。すなわち、六角棒１の手元側である把持部２における周囲の六つの側面１ａ，１ｂ，１ｃ，１ｄ，１ｅ，１ｆの中の相対向する二面、例えば１ａ，１ｄに平行な面内において、棒１の一端側が¬形状に折り曲げられ、六角穴付きボルトの六角穴に挿し込まれる折曲部３が構成されている。
【００１９】
尚、図１中、４ａは側面１ａと側面１ｂとの境界線（稜線）、４ｂは側面１ｂと側面１ｃとの境界線（稜線）、４ｃは側面１ｃと側面１ｄとの境界線（稜線）、４ｄは側面１ｄと側面１ｅとの境界線（稜線）、４ｅは側面１ｅと側面１ｆとの境界線（稜線）、４ｆは側面１ｆと側面１ａとの境界線（稜線）である。
【００２０】
上記のように構成させた六角レンチＡは、図２に示される従来の六角レンチＢに比べて、折曲部３が角度３０°だけズレたものとなっている。従って、この位相差によって、従来の六角レンチＢでは取り扱えないような場合にも、六角レンチＡでは取り扱える場合が有る。それ故に、六角穴付きボルトを更に回して強く締め付けたり・緩めたりすることが出来る場合も有り、その作業性が良い場合も有る。
【００２１】
かつ、六角レンチＡを手にして回そうとした場合、手指には六角レンチＡの平坦な側面１ａ，１ｄが当たるに過ぎない。従って、従来の六角レンチＢの場合の如く、尖がった稜線部分が強く手指に当たるようなことが起き難いから、六角レンチＡを回そうとした場合に、指先などには痛みを感じさせるような力が作用し難く、作業性に優れている。
【００２２】
尚、第１実施形態のものは、棒１の一端側のみが上記のように折り曲げられたものである。他端側は折り曲げられていない。従って、この場合には、従来タイプの六角レンチＢが役に立つ場合も有る。
【００２３】
そこで、次に述べる実施形態のものは、他端側も折り曲げられたものとした。但し、一端側の折曲は第１実施形態のものと同じであるが、他端側の折曲は次のような形態である。すなわち、六角棒１の把持部２における周囲の稜線４ａと稜線４ｄとで構成される面に垂直な方向で以って、棒１の他端側が¬形状に折り曲げられ、六角穴付きボルトの六角穴に挿し込まれる折曲部が構成されている。つまり、平坦な側面１ｃが内側に位置するような折曲である。尚、六角棒１の把持部２における周囲の稜線４ｂと稜線４ｅとで構成される面に垂直な方向で以って棒１の他端側が¬形状に折り曲げられたものでも良く、或いは六角棒１の把持部２における周囲の稜線４ｃと稜線４ｆとで構成される面に垂直な方向で以って棒１の他端側が¬形状に折り曲げられたものでも良い。これは、どの位置で折り曲げるかによって、一端側の折曲部３と他端側の折曲部との捻角が相違するに過ぎない。勿論、六角レンチＡを保管しようとした場合に、その占有空間の関係から、捻角が小さな角度であるように構成されているのが好ましい。
【００２４】
尚、上記実施形態にあっては六角レンチの場合で説明したが、例えば、四角形、八角形、十角形と言った２Ｎ（Ｎは２以上の整数）角形の場合にあっても同様である。但し、六角レンチが一般的に普及している今日、現実的には、六角レンチである。
【図面の簡単な説明】
【００２５】
【図１】本発明になる六角レンチの要部の斜視図
【図２】従来の六角レンチの斜視図
【図３】六角穴付きボルトの平面図
【符号の説明】
【００２６】
１                                  六角棒
１ａ，１ｂ，１ｃ，１ｄ，１ｅ，１ｆ  側面
２                                  把持部
３                                  折曲部
４ａ，４ｂ，４ｃ，４ｄ，４ｅ，４ｆ  稜線
代  理  人  宇      高      克      己
【図１】
2006212760.tif 000003
【図２】
2006212760.tif 000004
【図３】
2006212760.tif 000005